(57)【要約】【目的】本発明は、工場を始め倉庫などの建屋内に設置される分煙室に関するものであり、確実にタバコの煙、臭いが除去される分煙室を提供することを目的とする。【構成】本発明は、出入り口側と反対の部屋奥壁側の天井面に吸込口が臨み、室内空気を室外に排気する排気ユニットと、出入り口壁側の天井面に吹出口が臨み、室外空気を調和空気として排気ユニット方向で下向きに室内に吹出す空気調和機を有し、出入り口壁の上方に室外空気上部取り入れ口が形成され、排気ユニットのエアー排出量を空気調和機の吹出し量より大きく設定することにより、常に出入り口側から、排気ユニット側に流れる気流を形成する事により、室内の出入り口側を禁煙スペース、部屋奥側を喫煙スペースとしたものである。【選択図】　　図１
2004069090.tif 000002
【特許請求の範囲】
【請求項１】
出入り口側と反対の部屋奥壁側の天井面に吸込口が臨み、室内空気を室外に排気する排気ユニットと、出入り口壁側の天井面に吹出口が臨み、室外空気を調和空気として排気ユニット方向で下向きに室内に吹出す空気調和機を有し、出入り口壁の上方に室外空気上部取り入れ口が形成され、排気ユニットのエアー排出量を空気調和機の吹出し量より大きく設定することにより、常に出入り口側から、排気ユニット側に流れる気流を形成する事により、室内の出入り口側を禁煙スペース、部屋奥側を喫煙スペースとした事を特徴とする分煙室。
【請求項２】
出入り口側と反対の部屋奥壁側の天井面に吸込口が臨み、室内空気を室外に排気する排気ユニットと、出入り口壁側の天井面に吹出口が臨み、室外空気を調和空気として排気ユニット方向で下向きに室内に吹出す空気調和機を有し、出入り口壁の上方に室外空気上部取り入れ口が形成され、出入り口側と反対の部屋奥壁の下方に室外空気下部取り入れ口が形成され、排気ユニットのエアー排出量を空気調和機の吹出し量より大きく設定することにより、常に出入り口側から、排気ユニット側に流れる気流を形成する事により、室内の出入り口側を禁煙スペース、部屋奥側を喫煙スペースとした事を特徴とする分煙室。
【請求項３】
排気ユニットのエアー排出量を空気調和機の吹出し量の約２倍に設定した事を特徴とする請求項１又は請求項２に記載の分煙室。
【発明の詳細な説明】
【０００１】
【発明の属する技術分野】本発明は、特に、工場を始め倉庫などの建屋内に設置される分煙室に関するものである。
【０００２】
【従来の技術】従来、工場を始め倉庫内には、パネルで構成され、組み立て式で、かつ、移動自在な、休憩室、あるいはミーテングルーム等の小部屋が設置されることが多かった。
しかしながら、これらの部屋は、単に小部屋を構成するだけで、内部を分煙できるものではなかった。
この為、喫煙者あるいは禁煙者が共に使用する場合、いずれもが、快適にすごすことが出来ず、どちらかといえば、喫煙場所が休憩室に限られている場合が多い為、禁煙者は休憩室を使用する事がほとんどなかった。
その為、部屋内の空気をエアークリーナによって吸い込み、この空気を天井面に設けたスリット状吹出し口より部屋内にエアーカーテンとして吹出し、部屋内を喫煙スペースと禁煙スペースに区画する方法等が提案されているが（特開２００２−６１９１４）　、これは基本的には室内空気をエアークリナーを介して循環させる方式であるため、高性能のエアークリーナーをもってしても、タバコの煙（粒子）あるいは臭い（ガス）を完全に除去するのは困難であった。
特に、高性能のフィルターを使用しても、タバコの臭い（ガス）を完全に除去することは出来なかった。
【０００３】
【本発明が解決しようとする課題】
本発明は、上記問題点を解決する事を課題とし、確実にタバコの煙、臭いが室内から除去される分煙室を提供することを目的とする。
【０００４】
【課題を解決するための手段】
そこで、上記課題を解決する為、本発明の第１の手段として構成したところは、
出入り口側と反対の部屋奥壁側の天井面に吸込口が臨み、室内空気を室外に排気する排気ユニットと、出入り口壁側の天井面に吹出口が臨み、室外空気を調和空気として排気ユニット方向で下向きに室内に吹出す空気調和機を有し、出入り口壁の上方に室外空気上部取り入れ口が形成され、排気ユニットのエアー排出量を空気調和機の吹出し量より大きく設定することにより、常に出入り口側から、排気ユニット側に流れる気流を形成する事により、室内の出入り口側を禁煙スペース、部屋奥側を喫煙スペースとしたものである。
【０００５】
次に本発明が第２の手段として構成したところは、出入り口側と反対の部屋奥壁側の天井面に吸込口が臨み、室内空気を室外に排気する排気ユニットと、出入り口壁側の天井面に吹出口が臨み、室外空気を調和空気として排気ユニット方向で下向きに室内に吹出す空気調和機を有し、出入り口壁の上方に室外空気上部取り入れ口が形成され、出入り口側と反対の部屋奥壁の下方に室外空気下部取り入れ口が形成され、排気ユニットのエアー排出量を空気調和機の吹出し量より大きく設定することにより、常に出入り口側から、排気ユニット側に流れる気流を形成する事により、室内の出入り口側を禁煙スペース、部屋奥側を喫煙スペースとしたものである。
【０００６】
次に本発明が第３の手段として構成したところは、第１の手段、又は、第２の手段に加え、排気ユニットのエアー排出量を空気調和機の吹出し量の約２倍に設定したものである。
【０００７】
【実施例】
以下実施例を図面に基づいて説明する。
図１、図２において、分煙室１は、複数枚のパネルを相互に連結して形成された左側壁１１と、左側壁１１と所定間隔を有し、複数枚のパネルを相互に連結して、対向して立設された右側壁１２と、左右側壁１１，１２の一方の端部間に立設された複数枚のパネルから形成された出入り口壁１３と、左右側壁１１，１２の他方の端部間に立設された複数枚のパネルから形成された部屋奥壁１４と、左右側壁１１、１２、出入り口壁１３、部屋奥壁１４の上端に配設された、複数枚のパネルからなる天井面１５を有している。
実施例では、左右側壁１１，１２の幅寸法を６メートルに、出入り口壁１３、部屋奥壁１４の幅寸法を３．６メートルに、天井面の高さ寸法を２．４２メートルに形成している。
【０００８】
そして、出入り口壁１３の一方側端部には約１．２メートル幅で高さが約２メートルの出入り口１６が形成され、出入口１６には引き戸１７が設けられ、出入り口壁１３の上端左右端部側に室外空気上部取り入れ口２、２が形成されている。（実施例では、室外空気上部取り入れ口２の幅寸法は３００ミリメートル、高さ寸法が１００ミリメートルに形成されている。）
【０００９】
一方、部屋奥壁１４の下端左右端部側に、ガラリを有する室外空気下部取り入れ口３、３が形成されている。（実施例では、室外空気下部取り入れ口３の幅寸法は１０００ミリメータ、高さ寸法は２００ミリメーターに形成されている。）又、部屋奥壁１４側の天井面１５には、部屋奥壁から１８００ミリメーターの位置に吸込口４１の中央部分が臨む、室内空気を室外に排気する排気ユニット４が天井面１５の室外に設置され、排気ユニット４と反対側（出入り口壁１３側）の天井面１５で、出入口壁から３５０ミリメーターの位置に中央部分が臨む吹出口５１が位置し、排気ユニット４の方向で下向きに室外空気を調和空気として、室内に吹出す空気調和機５が、天井面１５の室外に設置されている。
そして、排気ユニット４のエアー排出量を空気調和機５の吹出し量より大きく設定している。（実施例では、排気ユニット４のエアー排出量を最大毎分４０立方メーター、空気調和機５の吹出し量を最大毎分２０立方メーターに設定している。）
【００１０】
すなわち、排気ユニット４の排気量を空気調和機５の調和空気と、室外空気上部取り入れ口２，２からの室外空気の給気によって、部屋内を出入り口壁１７側から部屋奥壁１４側に向かう水平気流となす事で、左右壁１１，１２側の壁面の室内空気も強制的に排気され、又、室外空気下部取り入れ口３、３からの給気によって、部屋奥壁１４側の室内空気も強制的に上方に排気される。
そして、排気された汚染空気は、ダクト等によって、空気調和機５、室外空気上下部取り入れ口２，３が吸い込む室内空気に影響を及ぼさない場所に排出されるか、あるいは、工場、倉庫等の建屋外に排出される。
【００１１】
そして、本実施例で出入り口壁１７から３．２メーターの位置を、禁煙スペースと喫煙スペースの境界線とし、境界線の左右側壁１１、１２間中央部をＢ点、出入り口壁１７から１．２メーターの中央部をＡ点、部屋奥壁１４から１．８メータの位置をＣ点とし、６本のタバコを同時に喫煙した場合の試験結果は次の通りであった。
【００１２】
Ｂ点で最も浮遊粉塵（煙）の数値が高いのは、２７０秒後であり、この時、Ｂ点で０．０７ｍｇ／立方メーター、Ａ点で０．０７ｍｇ／立方メーター、Ｃ点で０．１１ｍｇ／立方メーターであった。
そして、臭気の計器測定では、３００秒後で２１６（喫煙経験のない人がタバコの臭いを感じない状態での数値が２００であり、この状態を臭気感応値１とする。）であり、喫煙経験のない人が二人、禁煙後３年を経過した人が一人、計３人が臭気感応値が１であり、喫煙経験のない人が一人臭気感応値が２であった。
（一般的に許容できる空気環境としては、喫煙エリアと禁煙エリアの境界で、浮遊粉塵濃度（煙）が０．１５ｍｇ／立方メーター以下であり、臭い（ガス）の臭気感応値が１・５とされている。）
【００１３】
【発明の効果】
請求項１に記載の発明によると、排気ユニットを部屋奥壁側に、空気調和機を出入り口壁側に設け、排気ユニットのエアー排出量を空気調和機の吹出し量より大きく設定し、出入り口壁の上方に室外空気上部取り入れ口を形成しているので、部屋内が出入り口壁側から部屋奥壁側に向かう水平気流となり、常に、排気量に見合う新鮮な外気（室外空気）が供給され、しかも、室内の出入り口側を禁煙スペース、部屋奥側を喫煙スペースとした事により、禁煙者は常に新鮮な外気に接することとなり、特にタバコの臭いが禁煙スペースに流れる事がない。
又、排気ユニットのエアー排出量より空気調和機の吹出し量を小さく設定し、室外空気上部取り入れ口を設けることにより、排気ユニットに比して能力の低い空気調和機を使用できるので、消費電力の低減が図れると同時に、導入コストも安価となり、対費用効果に優れている。
【００１４】
請求項２に記載の発明によると、前記効果に加え、部屋奥壁の下方に室外空気下部取り入れ口が形成されているので、喫煙スペースにおいても外気が下方から上方に向かって供給され、部屋奥壁側に汚染空気が停滞することがなく、衣服等に付着するタバコの臭いも、低減することが可能である。
【００１５】
請求項３に記載の発明によると、排気ユニットのエアー排出量を空気調和機の吹出し量の約２倍に設定しているので、前記効果をより効果的に発揮する事が出来る。
【図面の簡単な説明】
【図１】本発明の要部縦断面図
【図２】本発明の天伏図
【図３】本発明の右側面図
【図４】本発明の左側面図
【符号の説明】
１　　　　　分煙室
１３　　　　出入り口壁
１４　　　　部屋奥壁
２　　　　　室外空気上部取り入れ口
３　　　　　室外空気下部取り入れ口
４　　　　　排気ファン
４１　　　　吸込口
５　　　　　空気調和機
５１　　　　吹出口
【図１】
2004069090.tif 000003
【図２】
2004069090.tif 000004
【図３】
2004069090.tif 000005
【図４】
2004069090.tif 000006